(57)【要約】【課題】大規模店舗等に設置されたエスカレーターや動く歩道等を利用する利用者に対して、所定階の広告や行き先等の案内表示を表示する簡易な装置であって、前記エスカレーターや動く歩道等の移動手摺の動力を利用して動く広告等の表示装置を提供することを目的とする。【解決手段】エスカレーター又は動く歩道の近傍に設置される筐体２１と、前記筐体２１内部に広告や案内表示を表示する表示部３６を備える表示装置２０であって、前記筐体２１から突出すると共に、前記移動手摺１７に圧接して前記移動手摺１７の回転に伴い回転する入力軸２９と、前記入力軸２９と連結して前記表示部３６を駆動する出力軸２４を備えるよう構成した。【選択図】    図４
2011121670.tif 000002
【特許請求の範囲】
【請求項１】
エスカレーター又は動く歩道の近傍に設置される筐体と、前記筐体内部に広告や案内表示を表示する表示部を備える広告等の表示装置であって、
前記筐体から突出すると共に、前記移動手摺に圧接して前記移動手摺の回転に伴い回転する入力軸と、
前記入力軸と連結して前記表示部を駆動する出力軸を備えることを特徴とする広告等の表示装置。
【請求項２】
前記筐体は前記出力軸と前記出力軸と並行に設けられた従動軸と間に架設された帯状ベルトを備え、
前記帯状ベルトの表面には広告又は案内表示が表示されてなることを特徴とする請求項１に記載の広告等の表示装置。
【発明の詳細な説明】
【技術分野】
【０００１】
本発明は、エスカレーターや動く歩道等の近傍に設置される表示装置に関するものであり、より詳しくは、エスカレーターや動く歩道等の移動手摺に入力軸を圧接して、その回転力により、表示装置内部の表示部を駆動して、この表示部に表示された広告又は案内等の表示を動かせて表示することができる広告等の表示装置に関する。
【背景技術】
【０００２】
従来から、この種の表示部が動く広告等の表示装置としては、例えば、特公昭６１−３４１５０号（特許文献１）に記載されているものが公知である。前記広告等の表示装置は、回転軸に広告文字を記載した複数の凹面反射板を設けた回転広告体と、回転軸に連結した広告体回動用のモーターと、広告体の周囲に設けた照明装置と、広告体と照明装置を囲う透明の保護ケースとにより構成されている。
【０００３】
前記広告等の表示器は、凹面反射鏡を有する広告体を回転させ、その周囲に照明装置を設けたから、照明装置から発する光線は、凹面反射鏡により、幻想的に反射され、また、広告文字ははっきり読みとれるように反射鏡に直接記載されているので、広告文字が浮き出ているようになり、所定の広告効果を発揮する。
【先行技術文献】
【特許文献】
【０００４】
【特許文献１】特公昭６１−３４１５０号  第１頁、第１図
【発明の概要】
【発明が解決しようとする課題】
【０００５】
しかしながら、前記表示装置においては、広告を表示する表示部の回転に表示部回動用のモーターを内蔵しており、さらに、それを駆動する電源が別途必要なうえに、構造も複雑となる。
【０００６】
また一方で、近年の大規模店舗等の増加に伴い、前記大規模店舗等に設置されたエスカレーターや動く歩道等を利用する利用者に対して、所定階の広告や行き先等の案内表示を表示する簡易な表示装置の要請がある。
【０００７】
本発明は、かかる事情に鑑みてなされたものであって、前記大規模店舗等に設置されたエスカレーターや動く歩道等を利用する利用者に対して、所定階の広告や行き先等の案内表示を表示する簡易な装置であって、前記エスカレーターや動く歩道等の移動手摺の動力を利用して動く広告等の表示装置を提供することを目的とする。
【課題を解決するための手段】
【０００８】
請求項１に記載の広告等の表示装置は、エスカレーター又は動く歩道の近傍に設置される筐体と、前記筐体内部に広告や案内表示を表示する表示部を備える広告等の表示装置であって、前記筐体から突出すると共に、前記移動手摺に圧接して前記移動手摺の回転に伴い回転する入力軸と、前記入力軸と連結して前記表示部を駆動する出力軸を備えることを特徴とする。
【０００９】
請求項１に記載の広告等の表示装置にあっては、大規模店舗等に設置されたエスカレーターや動く歩道等を利用する利用者に対して、所定階の広告や行き先等の案内表示を表示することができると共に、前記エスカレーター等の移動手摺から動力を取り出すので、表示部を駆動するためのモータや電源が不要となる。
【００１０】
請求項２に記載の広告等の表示装置は、請求項１に記載の広告等の表示装置に加えて、前記筐体は前記出力軸と前記出力軸と並行に設けられた従動軸と間に架設された帯状ベルトを備え、前記帯状ベルトの表面には広告又は案内表示が表示されてなることを特徴とする。
【００１１】
請求項２に記載の広告等の表示装置にあっては、前記表示部の駆動を巻掛伝動で行うため、構造が簡単で安価に製作することができる。
【発明の効果】
【００１２】
請求項１に記載の広告等の表示装置によれば、エスカレーター又は動く歩道の近傍に設置される筐体と、前記筐体内部に広告や案内表示を表示する表示部を備える広告等の表示装置であって、前記筐体から突出すると共に、前記移動手摺に圧接して前記移動手摺の回転に伴い回転する入力軸と、前記入力軸と連結して前記表示部を駆動する出力軸を備えるように構成したので、大規模店舗等に設置されたエスカレーターや動く歩道等を利用する利用者に対して、所定階の広告や行き先等の案内表示を表示することができると共に、前記エスカレーター等の移動手摺から動力を取り出すので、表示部を駆動するためのモータや電源が不要となる。
【００１３】
請求項２に記載の広告等の表示装置によれば、請求項１に記載の広告等の表示装置に加えて、前記筐体は前記出力軸と前記出力軸と並行に設けられた従動軸と間に架設された帯状ベルトを備え、前記帯状ベルトの表面には広告又は案内表示が表示されるように構成したので、前記表示部の駆動を巻掛伝動で行うため、構造が簡単で安価に製作することができる。
【図面の簡単な説明】
【００１４】
【図１】エスカレーターの横に設置された本発明にかかる広告等の表示装置の斜視図である。
【図２】エスカレーターの概略説明斜視図である。
【図３】広告等の表示装置の正面図である。
【図４】広告等の表示装置の正面縦断面図である。
【図５】広告等の表示装置の側面縦断面である。
【発明を実施するための形態】
【００１５】
以下、本発明を実施するための形態を図面に基づいて具体的に説明する。
【００１６】
図１はエスカレーターの横に設置された本発明にかかる広告等の表示装置の斜視図であり、図２はエスカレーターの概略説明斜視図である。図１及び図２において、１０はエスカレーターであり、上層階ＵＦと下層階ＤＦとを連結するように設置されている。
【００１７】
前記エスカレータ１０は、図２に示すように、足を乗せる踏段１１を踏段チェーン１２で連結して、上層階ＵＦに設置したモーター１３と駆動チェーン（図示せず）で駆動スプロケット１４を回転させて、前記駆動スプロケット１４と下層階ＤＦに設置した従動スプロケット１５間に架け渡された前記踏段チェーン１２を駆動させ前記踏段１１を上下方向の何れかに移動させて、上層階ＵＦと下層階ＤＦとの間の移送を行っている。
【００１８】
前記踏段１１の両側には内側板（欄干）１６が設けられており、前記内側版（欄干）１６の上部には、前記踏段１１と同じ速度で運転方向に移動する、断面下向Ｃ字状に形成される移動手摺１７が設けられている。
【００１９】
図中２０は本発明にかかる広告等の表示装置（以下、「表示装置」という。）であり、上層階ＵＦおよび下層階ＤＦにおける前記エスカレーター１０の内側板１６横に夫々設置されている。
【００２０】
図３は表示装置の正面図であり、図４は表示装置の正面縦断面図であり、図５は表示装置の側面縦断面である。
【００２１】
前記表示装置２０は、金属製の縦長の直方体形状の筐体２１の正面に透明の合成樹脂材からなる透過パネル２２を嵌め込んで形成されており、前記筐体２１の内部には、所定間隔を開けて対向する支持板２３ａ，２３ａを備えるケーシング２３を立設している。そして、前記支持板２３ａ，２３ａ間の上部に出力軸２４を架設すると共に、該出力軸２４の下方向に並行するように従動軸２５を架設し、前記出力軸２４および従動軸２５に夫々ドラム状プーリ２６，２６を固定して、前記各ドラム状プーリ２６，２６間に無端状ベルト２７を巻回している。
【００２２】
前記出力軸２４のエスカレーター１０側における前記ドラム状プーリ２６と前記支持板２３ａの間には歯付きプーリ２８を介装している。
【００２３】
また、前記出力軸２４の下方には、一側を前記エスカレータ１０の移動手摺１７の下部まで延長する入力軸２９を架設しており、該入力軸２９に取り付けた歯付きプーリ３０と、前記出力軸２４の歯付きプーリ２８との間に歯付きベルト３１を介装して、前記入力軸２９の回転を前記出力軸２４に伝導させている。前記出力軸２４および前記従動軸２５および前記入力軸２９は、前記支持板２３ａ，２３ａの夫々外側に取り付けられベアリング３２，３２・・を内蔵したベアリングケース３３，３３・・により夫々回転自在に支承されている。
【００２４】
前記入力軸２９は、前記一端を前記支持板２３ａに固定されたスリーブ３４を通して、前記入力軸２９の移動手摺の下部まで延長された先端部には、前記移動手摺１７と圧接させるための円筒状のローラ３５を取り付けている。
【００２５】
前記無端状ベルト２７の表面には、広告や案内を表示する可撓性を有するフィルム材からなる表示部３６を取り付けており、広告や案内を取り替える場合はこの表示部３６を取り替えるようにする。
【００２６】
図中４０は、テンション調節機構であり、前記支持板２３ａ，２３ａに回転自在に軸支された略コ字状のブラケット４１にローラ４３を遊挿したローラ軸４２を取り付けて、前記ブラケット４１をバネ４４で中心方向に付勢し、前記無端状ベルト２９のテンションを維持している。
【００２７】
また、前記筐体２１の底部の四隅には、ナット部５１と軸部５２とを備え、前記軸部５２の回転により、前記筐体２１の高さ調節が可能な脚部５０を設けている。
【００２８】
以上のように構成された前記表示装置２０を前記エスカレーター１０の横に設置する場合は、先ず、前記入力軸２９の先端のローラ３５を前記エスカレーター１０の移動手摺１７の下に接面するように配置し、前記脚部５０の軸部５２を回転させて前記表示装置２０を高くして、前記ローラ３５を前記移動手摺１７に圧接するように、前記筐体２１の高さ調整を行う。そして、必要な場合は、前記筐体２１をＬ字金具（図示せず）等により床面に固定するのである。
【００２９】
そして、前記エスカレーター１０の駆動により前記移動手摺１７が回転し、前記移動手摺１７の回転に伴い、前記移動手摺１７の下面に圧接したローラ３５を摩擦伝導により回転させて、前記入力軸２９および前記歯付きベルト３１を介して前記出力軸２４を回転させて、それにより、前記無端状ベルト２７を回転させ、前記表示部３６を移動せしめるのである。
【００３０】
したがって、前記表示装置２０には、モーター等の動力装置は必要なく、また、構造が簡単で安価に製作でき、さらに、前記表示部３６の交換も容易に行うことができる。
【００３１】
なお、前記表示部３６は、前記無端状ベルト２７と別体として構成したが、前記無端状ベルト２７に直接広告や案内を印刷等の手段により表示してこれを表示部３６として、前記無端状ベルト２７の掛け替えによって広告や案内を取り替えるようにしてもよい。
【００３２】
また、本実施の形態においては、前記入力軸２９を前記移動手摺１７の上部に圧接するように配置したが、前記移動手摺１７の下部に圧接するように配置しても良い。その場合は、前記筐体２１の内部構造は略上下が逆転した構造となる。
【００３３】
また、本実施の形態においては、前記表示装置２０をエスカレーター１０の横に配置したが、例えば、動く歩道のように、移動手摺１７を備える人間の搬送装置の横に配置しても良い。
【符号の説明】
【００３４】
ＵＦ    上層階
ＤＦ    下層階ＤＦ
１０    エスカレーター  
１１    踏段
１２    踏段チェーン
１３    モーター
１４    駆動スプロケット
１５    従動スプロケット
１６    内側板（欄干）
１７    移動手摺
２０    広告等の表示装置
２１    筐体
２２    透過パネル
２３    ケーシング
２３ａ  支持板
２４    出力軸
２５    従動軸
２６    ドラム状プーリ
２７    無端状ベルト
２８    歯付きプーリ
２９    入力軸
３０    歯付きプーリ
３１    歯付きベルト
３２    ベアリング
３３    ベアリングケース
３４    スリーブ
３５    ローラ
３６    表示部
４０    テンション調節機構
４１    ブラケット
４２    ローラ軸
４３    ローラ
５０    脚部
５１    ナット部
５２    軸部
【図１】
2011121670.tif 000003
【図２】
2011121670.tif 000004
【図３】
2011121670.tif 000005
【図４】
2011121670.tif 000006
【図５】
2011121670.tif 000007